【事件の表示】
　特願２０１４−５５３６０５「デスクトップ・コンテナ・ページの切り替えを制御するための方法および端末」拒絶査定不服審判事件〔平成２５年１０月　３日国際公開、ＷＯ２０１３／１４３４５４、平成２７年　３月　２日国内公表、特表２０１５−５０６５１８〕について、次のとおり審決する。
【結　論】
　本件審判の請求は、成り立たない。
【理　由】
１　手続の経緯
　本願は，２０１３年３月２７日（パリ条約による優先権主張外国庁受理２０１２年３月２９日，中華人民共和国）を国際出願日とする出願であって，平成２８年１月１９日付けで拒絶査定がなされ，これに対し，平成２８年５月１０日に拒絶査定に対する審判請求がなされるとともに手続補正書が提出されたが，当審において平成２８年１１月２日付けで拒絶理由通知がなされ，これに対し，平成２９年１月３０日に意見書と手続補正書が提出されたものである。
　
２　本願発明 
　本願の請求項１に係る発明(以下，「本願発明」という。)は，平成２９年１月３０日に提出された手続補正書の特許請求の範囲の請求項１に記載された，以下のとおりのものと認める。
　
「　コンポーネントに基づく動きイベントがアクティブになった時に，端末内のジャイロスコープセンサを用いることによって移動判定情報を取得するステップと，
　前記移動判定情報にしたがって，前記端末によって前記端末の移動状態を識別するステップと，
　前記移動状態にしたがって，前記端末によって現在表示されたデスクトップ・コンテナ・ページを切り替えるとともに，前記動きイベントに基づいて，前記切り替えるステップの後に表示されたデスクトップ・コンテナ・ページへコンポーネントを移動させるステップと，
　を具備し，
　前記端末の移動状態は，表示面と平行な面における左傾き復元および右傾き復元を具備するとともに，
　前記端末の移動状態にしたがって，前記端末によって現在表示されたデスクトップ・コンテナ・ページを切り替える前記ステップは，
　前記端末の移動状態が前記左傾き復元のときに，予め設定された方向の隣接ページへ前記端末の前記現在表示されたデスクトップ・コンテナ・ページを切り替えるステップと，
　前記端末の移動状態が前記右傾き復元のときに，前記予め設定された方向と逆方向の隣接ページへ前記端末の前記現在表示されたデスクトップ・コンテナ・ページを切り替えるステップと，
　を具備する，デスクトップ・コンテナ・ページの切り替えを制御するための方法。」
　
３　引用発明及び周知技術
（１）引用発明
　当審の拒絶理由に引用された米国特許出願公開第２０１２／００１３５５３号明細書(以下，「引用例」という。)には，「MOBILE TERMINAL AND METHOD OF CONTROLLING THE SAME（当審仮訳：携帯端末とこれを制御する方法）」（発明の名称）に関し，図面とともに以下の事項が記載されている（注目箇所には当審が下線を付与した。以下，同様。）。
　
ア　「[0084] Embodiments disclosed herein may be implemented in the mobile terminal  100  described with respect to  FIGS. 1 and 2 . Operations of the mobile terminal  100  for implementing embodiments may be described in more detail.
[0085] The sensing unit  140  may acquire or determine a rotation of the mobile terminal  100  on an axis (i.e., a rotational speed or an angular velocity based on the rotation of the mobile terminal  100 ) by using a gyroscope. The sensing unit  140  may acquire or determine an acceleration of gravity based on a motion of the mobile terminal  100  by using an accelerometer. The sensing unit  140  may acquire or determine a direction of the mobile terminal  100  through a terrestrial magnetic sensor such as a compass.
[0086] Accordingly, the sensing unit  140  may acquire or determine a motion of the mobile terminal  100  based on at least one of the angular velocity acquired by the gyroscope, the acceleration of gravity acquired by the accelerometer, and the direction of the mobile terminal  100  acquired by the terrestrial magnetic sensor. In an example where the mobile terminal  100  is rotated around the axial line to vertically or horizontally intersect the body of the mobile terminal  100 , the sensing unit  140  may acquire or determine a tilt state of the mobile terminal  100 , including the degree of a tilt, the velocity of a tilt, the direction of a tilt, of the body of the mobile terminal  100 .
[0087] The memory  160  may store a plurality of wallpapers in which items may be arranged. The plurality of wallpapers may be obtained by dividing one image into a plurality of regions. Alternatively, the plurality of wallpapers may be composed of different images. 」
（当審仮訳：
「[0084]　ここに開示する実施例は図１，２に記載された携帯端末１００で実施されてもよい。実施例を実施するための携帯端末１００の動作がより詳細に記述される。
[0085]　
センシング装置１４０はジャイロスコープを使用することにより軸に関する携帯端末１００の回転（即ち，携帯端末１００の回転に基づく回転速度あるいは角速度）を獲得あるいは決定してもよい。
[0086]　その結果，センシング装置１４０は，ジャイロスコープによって得られる角速度，加速度計によって得られる重力加速度，地磁気センサによって得られる携帯端末１００の向きの少なくとも１つに基づいて携帯端末１００の動きを獲得あるいは決定できる。携帯端末１００が，携帯端末１００の筐体を鉛直方向または水平方向に横切る軸線の回りに回転される例では，センシング装置１４０は，携帯端末１００の筐体の傾き角度，傾き速度，傾きの向きを含む携帯端末１００の傾き状態を獲得あるいは決定できる。
[0087]　メモリ１６０はアイテムが整列される複数の壁紙を保存してもよい。複数の壁紙は１つの画像を複数の領域に分割して得てもよい。あるいは，複数の壁紙は異なる画像から成ってもよい。」）
　
イ　「[0091] FIG. 4  is a flowchart of a method of controlling the mobile terminal  100  according to the first exemplary embodiment.  FIGS. 5 to 15  are diagrams illustrating the method of controlling the mobile terminal  100  according to the first exemplary embodiment. 
・・・（中略）・・・
[0092]・・・（中略）・・・
 A state in which the controller  180  is operated to arrange an item when a request to arrange the item is received may hereinafter be referred to as an item arrangement mode.
[0093] FIGS. 5 and 6  show examples in which an item arrangement request is received and show examples in which an item is arranged on a home screen.
[0094] As shown in  FIG. 5 , the controller  180  may control any one of a plurality of wallpapers constituting the home screen such that the corresponding wallpaper  4  is displayed on the touch screen  151 . The wallpaper  4  displayed through the touch screen  151  may include a plurality of items. In one example of a home screen, items included in the wallpaper  4  may include icons and/or widgets. When a specific item  4a displayed on the wallpaper is touched for a predetermined time or greater, the controller  180  may receive a request to arrange the corresponding item  4a. In response to the request, the controller  180  may rearrange or provide the corresponding item  4a in a wallpaper subsequently selected by a user.」
（当審仮訳：
「[0091]　
図４は第１の実施例に従った携帯端末１００を制御する方法のフローチャートである。図５〜１５は第１の実施例に従った携帯端末１００を制御する方法を示した略図である。
・・・（中略）・・・
[0092]・・・（中略）・・・
アイテムを配置する要求が受信されたときにコントローラ１８０がアイテムを配置するために動作されている状態は，以下，アイテム配置モードと称される。
[0093]　
図５，６は，アイテム配置要求が受信され，アイテムがホームスクリーンに配置される例を示す。
[0094]　
図５に示されるように，コントローラ１８０は，該当する壁紙４がタッチスクリーン１５１に表示されるように，ホームスクリーンを構成する複数の壁紙の１つを制御してもよい。
　
ウ　「[0096] Referring to  FIG. 4 , the controller  180  that has entered the item arrangement mode (based on the received request) may switch or change, in operation S 104 , a wallpaper displayed on the touch screen  151  based on motion of the mobile terminal  100  determined by the sensing unit  140 . As one example, when the mobile terminal  100  is rotated about an axis that vertically intersects the body of the mobile terminal  100  and such that the left side or the right side of the mobile terminal  100  is tilted in a rear direction of the mobile terminal  100 , the controller  180  may switch or change a wallpaper displayed on the screen. As another example, when the mobile terminal  100  rotates about an axis that horizontally intersects the body of the mobile terminal  100  and such that the top end portion or the bottom end portion of the mobile terminal  100  is tilted in the rear direction of the mobile terminal  100 , the controller  180  may switch or change a wallpaper displayed on a screen. The controller  180  may consecutively change the wallpaper displayed on the screen when the mobile terminal  100  remains tilted and/or may change the wallpaper displayed on the screen whenever the mobile terminal  100  is tilted. In the latter example, the controller  180  may change the wallpaper, displayed on the screen, to a next wallpaper or a previous wallpaper (in an order of the plurality of wallpapers) whenever the mobile terminal  100  is tilted.」
（当審仮訳：
「[0096]　図４を参照すると，（受信した要求に基づいて）アイテム配置モードに入ったコントローラ１８０は，動作１０４において，センシング装置１４０によって決定された携帯端末１００の動きに基づいてタッチスクリーン１５１に表示された壁紙を交換もしくは変更してもしてもよい。１つの例として，携帯端末１００が携帯端末１００の筐体を鉛直方向に横切る軸の回りに回転され，携帯端末１００の左側あるいは右側が携帯端末１００の後方に傾けられたとき，コントローラ１８０はスクリーンに表示された壁紙を交換もしくは変更してもよい。他の例では，携帯端末１００が携帯端末１００の筐体を水平方向に横切る軸の回りに回転され，携帯端末１００の上端部あるいは下端部が携帯端末１００の後方に傾けられたとき，コントローラ１８０はスクリーン上に表示された壁紙を交換もしくは変更してもよい。
コントローラ１８０は携帯端末１００が傾けられた状態のときに連続的にスクリーンに表示される壁紙を変更し，及び／又は，携帯端末１００が傾けられるたびにスクリーンに表示される壁紙を変更してもよい。後者の例では，コントローラ１８０は，携帯端末１００が傾けられるたびにスクリーンに表示される壁紙を（複数枚の壁紙の順に）次の壁紙あるいは前の壁紙に変更してもよい。
　
エ　「[0097] FIGS. 7 to 11  are diagrams showing examples in which the mobile terminal  100  that has entered the item arrangement mode switches or changes a displayed wallpaper through the touch screen  151  based on a motion of the mobile terminal  100 . In the figures, an operation number may be provided under the mobile terminal  100 .
・・・（中略）・・・
[0100] FIG. 8  is a diagram showing an example in which in a state in which a touch for an item for which arrangement has been requested has been released after the mobile terminal  100  enters the item arrangement mode, a wallpaper displayed on a screen is switched or changed based on a motion of the mobile terminal  100 .
[0101] Referring to  FIG. 8 , in the state in which the wallpaper  6  (having a plurality of items arranged therein) is displayed in operation S 301 , when the specific item  6a arranged in the wallpaper  6  is touched for a predetermined time or greater, the controller  180  may receive a request to rearrange the corresponding item  6a in operation S 302 . In response to the request, the controller  180  may enter the item arrangement mode and acquire or determine a motion of the mobile terminal  100  through the sensing unit  140  regardless of whether there is a touch on the corresponding item  6a. The controller  180  may analyze the acquired or determined motion. In an example where the mobile terminal  100  is rotated around an axial line that vertically intersects the body of the mobile terminal  100  in operation S 303 , the controller  180  may switch or change the wallpaper  6 , currently displayed on the screen, to another wallpaper  6'  in operation S 304 . Accordingly, when the wallpaper  6' is displayed on a screen (of the mobile terminal  100 ), a user may select the wallpaper  6' in which the item  6a is arranged by touching the wallpaper  6'.」
（当審仮訳：
「[0097]　図７から１１はアイテム配置モードに入った携帯端末１００が，携帯端末１００の動きに基づいてタッチスクリーン１５１を透して表示された壁紙を交換もしくは変更する例を示す略図である。これらの図において，動作番号が携帯端末１００の下に付されている。
・・・（中略）・・・
[0100]　図８は，携帯端末１００がアイテム配置モードに入った後に，配置が要求されたアイテムへのタッチが解放された状態で，スクリーンに表示された壁紙が携帯端末１００の動きに基づいて交換もしくは変更される例を示す略図である。
[0101]　図８を参照すると，壁紙６（その中には複数のアイテムが配置されている）が工程３０１で表示されている状態で，
壁紙６に配置されている特定のアイテム６ａが規定の時間以上タッチされたとき，コントローラ１８０は工程３０２で該当するアイテム６ａを再配置する要求を受信してもよい。その要求に応じて，コントローラ１８０はアイテム配置モードに入り，
センシング装置１４０を通じて携帯端末１００の動きを獲得または決定してもよい。コントローラ１８０は獲得または決定された動きを解析してもよい。携帯端末１００が工程３０３で携帯端末１００の筐体を鉛直方向に横切る軸線回りに回転される例では，コントローラ１８０は工程３０４で現在スクリーンに表示されている壁紙６を他の壁紙６’に交換もしくは変更してもよい。その結果，壁紙６’が（携帯端末１００）のスクリーンに表示されたとき，ユーザは壁紙６’をタッチすることでアイテム６ａが配置された壁紙６’を選択できる。
　
オ　「[0116] Referring back to  FIG. 4 , the controller  180  may select a next wallpaper according to a direction in which the mobile terminal  100  is tilted in the item arrangement mode (i.e., based on an axis in which the mobile terminal  100  intersects the body of the mobile terminal  100 ). For example, when the right side of the mobile terminal  100  is tilted in the rear direction of the mobile terminal  100 , the controller  180  may display a wallpaper next to a wallpaper, currently being displayed, on a screen of the mobile terminal  100 . For example, when the left side of the mobile terminal  100  is tilted in the rear direction of the mobile terminal  100 , the controller  180  may display a wallpaper previous to a wallpaper, currently being displayed, on a screen of the mobile terminal  100 .」
（当審仮訳：
「[0116]　図４に戻ると，
コントローラ１８０はアイテム配置モードで携帯端末１００が傾けられる方向に応じて
次の壁紙を選択してもよい。例えば，携帯端末１００の右側が携帯端末１００の後方に傾けられたとき，コントローラ１８０は携帯端末１００のスクリーンに現在表示されている壁紙の次の壁紙を表示してもよい。例えば，携帯端末１００の左側が携帯端末１００の後方に傾けられたとき，コントローラ１８０は携帯端末１００のスクリーンに現在表示されている壁紙の前の壁紙を表示してもよい。
　
　上記引用例の記載ならびにこの分野における技術常識を考慮すると，特に，第１の実施例として図４〜１５に記載された実施の形態において，携帯端末１００の制御方法に関する以下の発明（以下，「引用発明」という。）が開示されていると認める。
　
「　壁紙６に配置されている特定のアイテム６ａが規定の時間以上タッチされアイテム配置モードに入った後，コントローラ１８０はセンシング装置１４０を通じて携帯端末１００の動きを獲得または決定し，獲得または決定された動きを解析し，上記センシング装置１４０はジャイロスコープを使用するものであり，
　携帯端末１００が携帯端末１００の筐体を鉛直方向に横切る軸線回りに回転される例では，コントローラ１８０は現在スクリーンに表示されている壁紙６を他の壁紙６’に交換もしくは変更し，その結果，壁紙６’が（携帯端末１００）のスクリーンに表示されたとき，ユーザは壁紙６’をタッチすることでアイテム６ａが配置された壁紙６’を選択でき，上記壁紙６，６’はホームスクリーンを構成するものであり，
　コントローラ１８０はアイテム配置モードで携帯端末１００が傾けられる方向に応じて次の壁紙を選択してもよく，
　例えば，携帯端末１００の右側が携帯端末１００の後方に傾けられたとき，コントローラ１８０は携帯端末１００のスクリーンに現在表示されている壁紙の次の壁紙を表示してもよく，
　例えば，携帯端末１００の左側が携帯端末１００の後方に傾けられたとき，コントローラ１８０は携帯端末１００のスクリーンに現在表示されている壁紙の前の壁紙を表示してもよい，
　携帯端末１００の制御方法。」
　
（２）周知技術
　例えば，いずれも当審の拒絶理由に引用された特開平９−６９０２３号公報（以下，「周知例１」という。）には以下の事項カが，特開２００６−８７０４９号公報（以下，「周知例２」という。）には以下の事項キが，記載されている。
　
カ　「【０１２８】次に本実施の形態の動作を具体的な例を元に説明する。
【０１２９】この例では画像データ情報として本や書類の様なページめくりを行う書類の映像を準備する。準備した映像の一部を図２０に示す。機器のＬＣＤ２０１には書類の４ページ目の映像がユーザに対して表示されているとする（２００１）。この機器をユーザがＬＣＤを手前にして所持しているとする。ここでステップ１９０２でユーザがボタン２（２０３）を押していると判定された場合，ステップ１９０５で機器の傾きの変化が検出される。例えば，機器上のＬＣＤの左側を下げる方向へ２０度傾けた場合，傾きの変化α＝２０°（左を下げる方向）をステップ１９０６で時系列情報１８０９に追加する。このようにして，傾きの変化の時系列情報１８０９は蓄積される。
蓄積された傾き変化の時系列情報１８０９が図２１（ａ）のようになっているとする。図２１では傾きの変化は１／３０秒単位で計測されている。図２１（ａ）の時系列情報は機器を急に左に傾け，その後直ちに右に傾けることで，徐々に元の状態に戻すという動作を行ったことを表している。
表示変更方法として「ページを次にめくる」が選択される。
蓄積された傾き変化の時系列情報１８０９が，図２１（ｂ）のようになっているとする。図２１（ｂ）の時系列情報は機器を急に右に傾け，その後直ちに左に傾けることで徐々に元の状態に戻すという動作を行ったことを表している。
表示変更方法として「ページを前に戻す」が選択される。
　
キ　「【００２７】
　第１の実施形態では，電源ボタン２１及びシャッターボタン２３をデジタルカメラ１０の上面に配置し，モード切り替えスイッチ２２，メニューボタン２４，表示部１０５，十字ボタン２６，ＳＥＴボタン２７及びディスプレイボタン２８をデジタルカメラ１０の背面に配置し，三脚接続部２９をデジタルカメラ１０の下面に配置する。
【００２８】
　図３は，姿勢検知部１１０で判定される４つの姿勢を説明する図である。図３（ａ）に示すように，デジタルカメラ１０の上面（シャッターボタン２３がある面）を上方向に向け，下面（三脚接続部２９がある面）を下方向に向けたとき，姿勢検知部１１０はデジタルカメラ１０の姿勢が「姿勢１」であると判定する。
【００２９】
　図３（ｂ）に示すように，デジタルカメラ１０の上面を左方向に傾け，下面を右方向に傾けたとき，姿勢検知部１１０はデジタルカメラ１０の姿勢が「姿勢２」であると判定する。
【００３０】
　図３（ｃ）に示すように，デジタルカメラ１０の上面を右方向に傾け，下面を左方向に傾けたとき，姿勢検知部１１０はデジタルカメラ１０の姿勢が「姿勢３」であると判定する。
【００３１】
　図３（ｄ）に示すように，デジタルカメラ１０の下面を上方向に向け，上面を下方向に向けたとき，姿勢検知部１１０はデジタルカメラ１０の姿勢が「姿勢４」であると判定する。
【００３２】
　なお，姿勢１及び姿勢４は横位置であり，姿勢２及び姿勢３は縦位置である。また，姿勢４は姿勢１の上下（天地）を反転させた姿勢であり，姿勢３は姿勢２の上下（天地）を反転させた姿勢である。
【００３３】
　図４は，デジタルカメラ１０で実行される処理の手順の一例を説明するためのフローチャートである。図４に示す処理は，システム制御部１０７がメモリ１０９内の制御プログラムに従ってデジタルカメラ１０を制御することによって実行される処理である。また，図４に示す処理は，設定メニューで姿勢変化機能をＯＮにしたときに実行される処理である。
【００３４】
　ステップＳ４０１：システム制御部１０７は，姿勢検知部１１０での判定結果に応じてデジタルカメラ１０の姿勢が姿勢１から姿勢２に変化したか否かを判定する。デジタルカメラ１０の姿勢が姿勢１から姿勢２に変化したと判定した場合はステップＳ４０２に進む，それ以外の場合はステップＳ４０６に進む。
【００３５】
　ステップＳ４０２：システム制御部１０７は，所定時間Ｔの計時を開始する。
【００３６】
　ステップＳ４０３：システム制御部１０７は，所定時間Ｔが経過したか否かを判定する。所定時間Ｔがまだ経過していない場合はステップＳ４０４に進み，それ以外の場合はＳ４０１に戻る。
【００３７】
　ステップＳ４０４：システム制御部１０７は，姿勢検知部１１０での判定結果に応じてデジタルカメラ１０の姿勢が姿勢２から姿勢１に戻ったか否かを判定する。つまり，システム制御部１０７は，所定時間Ｔが経過する前にデジタルカメラ１０の姿勢が元の姿勢に戻ったか否かを判定する。デジタルカメラ１０の姿勢が姿勢２から姿勢１に戻ったと判定した場合はステップＳ４０５に進む。それ以外の場合はステップＳ４０３に戻る。
【００３８】
　ステップＳ４０５：システム制御部１０７は，次の１，４又は９コマの撮影画像を記憶媒体から読み出して表示部１０５に表示するように制御する。
システム制御部１０７は，デジタルカメラ１０の現在の画像表示モードが１画像表示モードである場合には次の１コマの撮影画像を表示部１０５に表示し
図５に示すように，デジタルカメラ１０の現在の画像表示モードが１画像表示モードであり，所定時間Ｔが経過する前にデジタルカメラ１０の姿勢を姿勢２から姿勢１に戻された場合，次の１コマの撮影画像が表示部１０５に表示される。これにより，ユーザは，十字ボタン２６を操作しなくても，デジタルカメラ１０を所定の方向に一回振るだけで，次の１，４又は９コマの撮影画像を確認することができる。
【００３９】
　ステップＳ４０６：システム制御部１０７は，姿勢検知部１１０での判定結果に応じてデジタルカメラ１０の姿勢が姿勢１から姿勢３に変化したか否かを判定する。デジタルカメラ１０の姿勢が姿勢１から姿勢３に変化したと判定した場合はステップＳ４０７に進み，それ以外の場合はステップＳ４０１に戻る。
【００４０】
　ステップＳ４０７：システム制御部１０７は，所定時間Ｔの計時を開始する。
【００４１】
　ステップＳ４０８：システム制御部１０７は，所定時間Ｔが経過したか否かを判定する。所定時間Ｔがまだ経過していない場合はステップＳ４０９に進み，それ以外の場合はステップＳ４０１に戻る。ここで，所定時間Ｔが経過した場合，システム制御部１０７は，デジタルカメラ１０が所定の方向に振られていないと判定する。
【００４２】
　ステップＳ４０９：システム制御部１０７は，姿勢検知部１１０での判定結果に応じてデジタルカメラ１０の姿勢が姿勢３から姿勢１に戻ったか否かを判定する。つまり，システム制御部１０７は，所定時間Ｔが経過する前にデジタルカメラ１０の姿勢が元の姿勢に戻ったか否かを判定する。デジタルカメラ１０の姿勢が姿勢３から姿勢１に戻ったと判定した場合はステップＳ４１０に進む。それ以外の場合はステップＳ４０８に戻る。
【００４３】
　ステップＳ４１０：システム制御部１０７は，前の１，４又は９コマの撮影画像を記憶媒体から読み出して表示部１０５に表示するように制御する。
システム制御部１０７は，デジタルカメラ１０の現在の画像表示モードが１画像表示モードである場合には前の１コマの撮影画像を表示部１０５に表示し
これにより，ユーザは，十字ボタン２６を操作しなくても，デジタルカメラ１０を所定の方向に一回振るだけで，前の１，４又は９コマの撮影画像を確認することができる。
【００４４】
　このように，第１の実施形態に係るデジタルカメラ１０によれば，デジタルカメラ１０を所定の方向に振る一回振るだけで次又は前の１，４又は９コマの撮影画像を表示部１０５に表示することができる。
【００４５】
　なお，第１の実施形態は，ステップＳ４０１においてデジタルカメラ１０の姿勢が姿勢２から姿勢４に変化したか否かを判定し，ステップＳ４０４においてデジタルカメラ１０の姿勢が姿勢４から姿勢２に変化したか否かを判定するように構成することも可能である。同様に，ステップＳ４０６においてデジタルカメラ１０の姿勢が姿勢２から姿勢１に変化したか否かを判定し，ステップＳ４０９においてデジタルカメラ１０の姿勢が姿勢１から姿勢２に変化したか否かを判定するように構成することも可能である。」
　
　例えば，上記周知例１，２に記載されているように，携帯型の表示装置において，「画像切替等のイベントを，装置を所定角度チルトさせた後元の状態に戻す動作に基づいて生じさせること」（以下，「周知技術」という。）は周知である。
　
４　対比・判断
　本願発明と引用発明を対比すると，
　
ａ１　引用発明の「携帯端末１００」は本願発明の「端末」に相当する。
ａ２　引用発明の「特定のアイテム６ａ」は明らかに本願発明の「コンポーネント」に相当するものであって，引用発明の「特定のアイテム６ａが規定の時間以上タッチされアイテム配置モードに入った後」は，本願発明の「コンポーネントに基づく動きイベントがアクティブになった時に」に相当する。
ａ３　引用発明の「コントローラ１８０はセンシング装置１４０を通じて携帯端末１００の動きを獲得または決定し，獲得または決定された動きを解析し，上記センシング装置１４０はジャイロスコープを使用するものであり」に関し，「（ジャイロスコープを使用する）センシング装置１４０を通じて携帯端末１００の動きを獲得または決定」することは本願発明の「端末内のジャイロスコープセンサを用いることによって移動判定情報を取得する」ことに相当し，「（コントローラ１８０が）獲得または決定された動きを解析」することは本願発明の「前記移動判定情報にしたがって，前記端末によって前記端末の移動状態を識別する」ことに相当する。
ａ４　ａ１〜ａ３によれば，
　引用発明の「特定のアイテム６ａが規定の時間以上タッチされアイテム配置モードに入った後，コントローラ１８０はセンシング装置１４０を通じて携帯端末１００の動きを獲得または決定し，獲得または決定された動きを解析し，上記センシング装置１４０はジャイロスコープを使用するものであり」は，
　本願発明の「コンポーネントに基づく動きイベントがアクティブになった時に，端末内のジャイロスコープセンサを用いることによって移動判定情報を取得するステップと，前記移動判定情報にしたがって，前記端末によって前記端末の移動状態を識別するステップ」
　に相当する。
　
ｂ１　引用発明の「壁紙６，６’」は，「図５に示されるように，コントローラ１８０は，該当する壁紙４がタッチスクリーン１５１に表示されるように，ホームスクリーンを構成する複数の壁紙の１つを制御してもよい。タッチスクリーン１５１を透して表示された壁紙４は複数のアイテムを含んでもよい。ホームスクリーンの１例では，壁紙４に含まれるアイテムはアイコン及び／又はウィジェットでもよい。」（摘記事項イ）の記載及び図５〜８の記載を参酌すれば，複数のアイコンやウィジェットを表示するためのホームスクリーン表示であることが読み取れるから，本願発明の「デスクトップ・コンテナ・ページ」に相当する。
ｂ２　引用発明では「携帯端末１００の筐体を鉛直方向に横切る軸線回りに回転される」とき，「現在スクリーンに表示されている壁紙６を他の壁紙６’に交換もしくは変更」し，かつ，「アイテム６ａ」は「壁紙６’」に「配置」される（図８参照）が，該「アイテム６ａ」は「規定の時間以上タッチされアイテム配置モードに入った」場合にタッチされた「特定のアイテム６ａ」であるから，引用発明は，「規定の時間以上タッチされアイテム配置モードに入った」ことに基づいて，「現在スクリーンに表示されている壁紙６を他の壁紙６’に交換もしくは変更」した後に表示された「壁紙６’」へ「特定のアイテム６ａ」を移動させるステップを具備するといえる。
ｂ３　ｂ１〜ｂ２によれば，
　引用発明の「携帯端末１００が携帯端末１００の筐体を鉛直方向に横切る軸線回りに回転される例では，コントローラ１８０は現在スクリーンに表示されている壁紙６を他の壁紙６’に交換もしくは変更し，その結果，壁紙６’が（携帯端末１００）のスクリーンに表示されたとき，ユーザは壁紙６’をタッチすることでアイテム６ａが配置された壁紙６’を選択でき，上記壁紙６，６’はホームスクリーンを構成するものであり」は，
　本願発明の「前記移動状態にしたがって，前記端末によって現在表示されたデスクトップ・コンテナ・ページを切り替えるとともに，前記動きイベントに基づいて，前記切り替えるステップの後に表示されたデスクトップ・コンテナ・ページへコンポーネントを移動させるステップ」
　に相当する。
　
ｃ１　引用発明の「携帯端末１００の右側が携帯端末１００の後方に傾けられたとき」，「携帯端末１００の左側が携帯端末１００の後方に傾けられたとき」はいずれも「携帯端末１００の移動状態」であって，本願発明の「端末の移動状態」である「（表示面と平行な面における）右傾き復元」，「（表示面と平行な面における）左傾き復元」とは，それぞれ，「第１の移動状態」，「第２の移動状態」である点で共通するといえる。
ｃ２　引用発明の「現在表示されている壁紙の次の壁紙」，「現在表示されている壁紙の前の壁紙」は，それぞれ本願発明の「予め設定された方向と逆方向の隣接ページ」，「予め設定された方向の隣接ページ」に相当する。
ｃ３　ｃ１〜ｃ２によれば，
　引用発明の「コントローラ１８０はアイテム配置モードで携帯端末１００が傾けられる方向に応じて次の壁紙を選択してもよく，
　例えば，携帯端末１００の右側が携帯端末１００の後方に傾けられたとき，コントローラ１８０は携帯端末１００のスクリーンに現在表示されている壁紙の次の壁紙を表示してもよく，
　例えば，携帯端末１００の左側が携帯端末１００の後方に傾けられたとき，コントローラ１８０は携帯端末１００のスクリーンに現在表示されている壁紙の前の壁紙を表示してもよい」と
　本願発明の「前記端末の移動状態は，表示面と平行な面における左傾き復元および右傾き復元を具備するとともに，
　前記端末の移動状態にしたがって，前記端末によって現在表示されたデスクトップ・コンテナ・ページを切り替える前記ステップは，
　前記端末の移動状態が前記左傾き復元のときに，予め設定された方向の隣接ページへ前記端末の前記現在表示されたデスクトップ・コンテナ・ページを切り替えるステップと，　前記端末の移動状態が前記右傾き復元のときに，前記予め設定された方向と逆方向の隣接ページへ前記端末の前記現在表示されたデスクトップ・コンテナ・ページを切り替えるステップと，
　を具備する」とは，
「　前記端末の移動状態は，第２の移動状態及び第１の移動状態を具備するとともに，
　前記端末の移動状態にしたがって，前記端末によって現在表示されたデスクトップ・コンテナ・ページを切り替える前記ステップは，
　前記端末の移動状態が前記第２の移動状態のときに，予め設定された方向の隣接ページへ前記端末の前記現在表示されたデスクトップ・コンテナ・ページを切り替えるステップと，
　前記端末の移動状態が前記第１の移動状態のときに，前記予め設定された方向と逆方向の隣接ページへ前記端末の前記現在表示されたデスクトップ・コンテナ・ページを切り替えるステップと，
　を具備する」
　点で共通する。
　
ｄ　引用発明の「携帯端末１００の制御方法」は，具体的な制御としてホームスクリーンを構成する壁紙を切り替える制御を行っているから，後述する相違点を除き本願発明の「デスクトップ・コンテナ・ページの切り替えを制御するための方法」に相当するといえる。
　
　以上をまとめると，結局，本願発明と引用発明は，以下の点で一致ないし相違する。
　
（一致点）
「　コンポーネントに基づく動きイベントがアクティブになった時に，端末内のジャイロスコープセンサを用いることによって移動判定情報を取得するステップと，
　前記移動判定情報にしたがって，前記端末によって前記端末の移動状態を識別するステップと，
　前記移動状態にしたがって，前記端末によって現在表示されたデスクトップ・コンテナ・ページを切り替えるとともに，前記動きイベントに基づいて，前記切り替えるステップの後に表示されたデスクトップ・コンテナ・ページへコンポーネントを移動させるステップと，
　を具備し，
　前記端末の移動状態は，第２の移動状態及び第１の移動状態を具備するとともに，
　前記端末の移動状態にしたがって，前記端末によって現在表示されたデスクトップ・コンテナ・ページを切り替える前記ステップは，
　前記端末の移動状態が前記第２の移動状態のときに，予め設定された方向の隣接ページへ前記端末の前記現在表示されたデスクトップ・コンテナ・ページを切り替えるステップと，
　前記端末の移動状態が前記第１の移動状態のときに，前記予め設定された方向と逆方向の隣接ページへ前記端末の前記現在表示されたデスクトップ・コンテナ・ページを切り替えるステップと，
　を具備する，デスクトップ・コンテナ・ページの切り替えを制御するための方法。」
　
（相違点）
　「第２の移動状態」及び「第１の移動状態」が
　本願発明では，「表示面と平行な面における左傾き復元および右傾き復元」であるのに対し，
　引用発明では，「携帯端末１００の左側が携帯端末１００の後方に傾けられ」ること及び「携帯端末１００の右側が携帯端末１００の後方に傾けられ」ること，である点。
　
　上記相違点につき検討する。
　まず，「３　引用発明及び周知技術　（２）周知技術」に記したように，携帯型の表示装置において，「画像切替等のイベントを，装置を所定角度チルトさせた後元の状態に戻す動作に基づいて生じさせること」は周知技術であるが，該周知技術における装置の動きは，いったん「チルトさせ」即ち「傾かせ」，その後で「元の状態」に戻す即ち「復元」させる動きであるから，「傾き復元」ということができる。
　そして，引用例に「コントローラ１８０は携帯端末１００が傾けられた状態のときに連続的にスクリーンに表示される壁紙を変更し，及び／又は，携帯端末１００が傾けられるたびにスクリーンに表示される壁紙を変更してもよい。後者の例では，コントローラ１８０は，携帯端末１００が傾けられるたびにスクリーンに表示される壁紙を（複数枚の壁紙の順に）次の壁紙あるいは前の壁紙に変更してもよい。」（摘記事項ウ）との記載があるが，通常の使用形態では携帯端末１００はユーザの手により傾けられると考えられ，その場合，携帯端末１００をいったん元の状態に戻すことなく連続して同じ方向に傾けることは不自然な動作であるから，上記記載における「携帯端末１００が傾けられるたびに」は，携帯端末１００をいったん傾けた後に元の状態に戻す，即ち「傾き復元」，という動きを示唆するものといえ，この示唆に基づいて，引用発明における「次の壁紙」及び「前の壁紙」に変更するための携帯端末１００の動きとしての「携帯端末１００の右側が携帯端末１００の後方に傾けられ」ること及び「携帯端末１００の左側が携帯端末１００の後方に傾けられ」ることという動きに代えて，上記周知技術に係る動きを採用して「右傾き復元」および「左傾き復元」とすることは当業者であれば容易になし得たものと認められる。
　さらに，周知例２の摘記事項キの段落【００２８】−【００３２】の記載及び【図３】の記載から明らかなように，周知例２では「傾き復元」を「表示面と平行な面」内で行っており，引用例に「１つの例として，携帯端末１００が携帯端末１００の筐体を鉛直方向に横切る軸の回りに回転され，携帯端末１００の左側あるいは右側が携帯端末１００の後方に傾けられたとき，コントローラ１８０はスクリーンに表示された壁紙を交換もしくは変更してもよい。他の例では，携帯端末１００が携帯端末１００の筐体を水平方向に横切る軸の回りに回転され，携帯端末１００の上端部あるいは下端部が携帯端末１００の後方に傾けられたとき，コントローラ１８０はスクリーン上に表示された壁紙を交換もしくは変更してもよい。」（摘記事項ウ）として，携帯端末１００を傾かせる際の回転軸は鉛直方向のみならず水平方向でもよいことが「１つの例として」記載されており，可能な３軸の回転方向のうちの２軸の例示がされていることも勘案すれば，上記「右傾き復元」および「左傾き復元」を「表示面と平行な面における」傾き復元とすることも当業者が適宜採用しうる事項に過ぎない。
　
　そして，本願発明の作用・効果も引用例及び周知例１，２から当業者が予測し得る範囲のものである。
　
５　むすび
　したがって，本願発明は，引用例に記載された発明及び周知例１，２に記載された周知技術に基づいて，当業者が容易に想到し得たものであるから，特許法第２９条第２項の規定により特許を受けることができない。
　
　よって，結論のとおり審決する。